(57)【要約】      （修正有）【課題】使用者の吸気又は呼気を利用して、装飾物を動かすことにより、新規な面白みを持たせた飲料用カップを提供すること。【解決手段】カップ蓋Ａ１２又はカップ本体の底部に、排気孔を有する空間を形成し、この空間に排気孔を通過する気流によって回転するインペラＡ１２２を設置し、インペラの回転力により装飾体Ｅを移動させ、カップ蓋に回動片Ａ１３０を設け、回動片に、その回動に伴って内部ストローＡ１３及び前記空間のいずれかと連絡される突出管Ａ１３１を設け、突出管を外部ストローＡ１１に接続してある。【選択図】図２
0003112997.tif 000002
【実用新案登録請求の範囲】
【請求項１】
カップ本体、該カップ本体の内部に差し込まれた内部ストロー、前記カップ本体の上面に被せたカップ蓋、該カップ蓋の上方に設けた外部ストロー、及び、移動可能な装飾体から成り、前記カップ蓋又はカップ本体の底部に、排気孔を介して外気と連通する空間を形成し、該排気孔を通過する気流によって回転する軽量なインペラを前記空間に設置すると共に、該インペラの回転力を前記装飾体の移動の動力とし、前記カップ蓋に回動片を設けると共に、該回動片に、その回動に伴って前記内部ストロー及び前記空間のいずれかと連絡される突出管を設け、該突出管を前記外部ストローに接続した飲料用カップ。
【請求項２】
前記カップ蓋は、下層座板及び上層座板を、その間に前記空間が形成されるよう重ねて成り、前記上層座板に、前記内部ストローと接続された連結管及び前記空間に開口した空気管を互いに近接して設けると共に、前記上層座板の上面に前記回動片を設け、前記上層座板の上方をカバー片で覆い、前記上層座板とカバー片との間に、前記インペラの回転力を前記装飾体へ伝達する伝動機構を設置した請求項１に記載の飲料用カップ。
【請求項３】
前記装飾体が、前記カップ蓋の上方に設置されると共に、前記インペラの回転力によって回転する回転盤に対して、磁力により交換可能に吸着され、前記装飾体及び回転盤の外方を開閉可能な透明カバーで被覆した請求項１又は２に記載の飲料用カップ。
【請求項４】
前記インペラの回転力によって回転する前記装飾体を前記カップ蓋の上方に設置し、該装飾体の外方を密封性のある透明カバーで被覆し、該透明カバーの内部に液体を充填した請求項１又は２に記載の飲料用カップ。
【請求項５】
前記装飾体が前記カップ本体の内部に設けられた請求項１又は２に記載の飲料用カップ。
【請求項６】
前記カップ本体の底部に前記空間を形成し、下端が前記空間に開口する連通管を前記カップ本体の上端寄りまで延ばし、前記カップ蓋を２層として、その内部に薄い隙間を形成し、該隙間に前記回動片を設置し、該回動片を回動させることにより、前記外部ストローが前記内部ストロー及び前記連通管のいずれかに連絡される請求項１に記載の飲料用カップ。
【請求項７】
前記カップ本体の側面部に、上下に延びる接続棒を設置すると共に、該接続棒に前記装飾体を取り付け、前記インペラの回転力を、上面に凹凸が形成された回転可能な突起盤へ伝動機構を介して伝達し、前記接続棒の下端を前記突起盤の上面に係合し、前記インペラを回転させることにより、前記接続棒及び装飾体を上下に往復動させる請求項６に記載の飲料用カップ。
【考案の詳細な説明】
【技術分野】
【０００１】
本考案は、装飾機能を有する飲料用カップに関する。
【背景技術】
【０００２】
通常のカップは、主として飲料を容れることを目的としており、美観を高めて消費者を引き付けるためには、形状や材質（ガラス、陶器、プラスチック等）を変えたり、その表面に図柄等を表示していた。
しかし、カップ体の基本的な形状や材質は制限されており、単に表面の図柄を変えるだけでは、消費者を引き付ける効果が低い。
近年、消費者の購買意欲をそそるために、人やマンガのキャラクタ、動物の形等の形状に形成した造形カップが市販されるようになっている。しかし、このような造形カップも、単に外形を変えただけであって、消費者を引き付ける効果が乏しい。
【考案の開示】
【考案が解決しようとする課題】
【０００３】
本考案が解決しようとする課題は、使用者の吸気又は呼気を利用して、装飾物を動かすことにより、新規な面白みを持たせた飲料用カップを提供することにある。
【課題を解決するための手段】
【０００４】
本考案の飲料用カップは、カップ本体、該カップ本体の内部に差し込まれた内部ストロー、前記カップ本体の上面に被せたカップ蓋、該カップ蓋の上方に設けた外部ストロー、及び、移動可能な装飾体から成り、前記カップ蓋又はカップ本体の底部に、排気孔を介して外気と連通する空間を形成し、該排気孔を通過する気流によって回転する軽量なインペラを前記空間に設置すると共に、該インペラの回転力を前記装飾体の移動の動力とし、前記カップ蓋に回動片を設けると共に、該回動片に、その回動に伴って前記内部ストロー及び前記空間のいずれかと連絡される突出管を設け、該突出管を前記外部ストローに接続してある。
【０００５】
以下の構成を採用しても良い。
前記カップ蓋は、下層座板及び上層座板を、その間に前記空間が形成されるよう重ねて成り、前記上層座板に、前記内部ストローと接続された連結管及び前記空間に開口した空気管を互いに近接して設けると共に、前記上層座板の上面に前記回動片を設け、前記上層座板の上方をカバー片で覆い、前記上層座板とカバー片との間に、前記インペラの回転力を前記装飾体へ伝達する伝動機構を設置した構成。
前記装飾体が、前記カップ蓋の上方に設置されると共に、前記インペラの回転力によって回転する回転盤に対して、磁力により交換可能に吸着され、前記装飾体及び回転盤の外方を開閉可能な透明カバーで被覆した構成。
前記インペラの回転力によって回転する前記装飾体を前記カップ蓋の上方に設置し、該装飾体の外方を密封性のある透明カバーで被覆し、該透明カバーの内部に液体を充填した構成。
【０００６】
前記装飾体を前記カップ本体の内部に設けた構成。
前記カップ本体の底部に前記空間を形成し、下端が前記空間に開口する連通管を前記カップ本体の上端寄りまで延ばし、前記カップ蓋を２層として、その内部に薄い隙間を形成し、該隙間に前記回動片を設置し、該回動片を回動させることにより、前記外部ストローが前記内部ストロー及び前記連通管のいずれかに連絡される構成。
前記カップ本体の側面部に、上下に延びる接続棒を設置すると共に、該接続棒に前記装飾体を取り付け、前記インペラの回転力を、上面に凹凸が形成された回転可能な突起盤へ伝動機構を介して伝達し、前記接続棒の下端を前記突起盤の上面に係合し、前記インペラを回転させることにより、前記接続棒及び装飾体を上下に往復動させる構成。
【考案の効果】
【０００７】
本考案によれば、飲料を容れるというカップ本来の機能を損なうことなく、移動する装飾体によって趣向に富んだ装飾効果が得られ、付加価値を高めて消費者を引き付けることができる。
【考案を実施するための最良の形態】
【０００８】
以下、本考案の実施例を図面に基づいて詳細に説明する。
本考案の飲料用カップは、カップ本体、カップ本体の内部に差し込まれた内部ストロー、カップ本体の上面に被せたカップ蓋、カップ蓋の上方に設けた外部ストロー、及び、移動可能な装飾体から成る。外部ストローによって、カップ本体内部の飲料を吸引すると共に、外部ストローを介して空気を吹き込んだり、吸うことにより装飾体を移動させることができる。
【実施例１】
【０００９】
図１〜図５は、本考案の実施例１を示す。
図１に示すように、飲料用カップＡ１は、カップ本体Ａ１４、カップ本体１４の内部に差し込まれた内部ストローＡ１３、カップ本体Ａ１４の上面に被せたカップ蓋Ａ１２、及び、カップ蓋Ａ１２の上方に設けた外部ストローＡ１１、及び、回転可能な装飾体Ｅから成る。
カップ本体Ａ１４は、従来のものとほぼ同様の構造を有するので、詳細な説明は省略する。
【００１０】
図２に示すように、カップ蓋Ａ１２は、下層座板Ａ１２１と、上層座板１２４とを、その間に空間が形成されるよう重ねると共に、互いに緊密に連結して成り、下層座体Ａ１２１と上層座体Ａ１２４との間の空間には、軽量なインペラＡ１２２が設置される。
下層座体Ａ１２１には貫通孔Ａ１２６が形成され、下層座体Ａ１２１の外周囲に沿って形成された立ち上がり部には排気孔Ａ１２３が穿設される。また、貫通孔Ａ１２６には、内部ストローＡ１３の上端部が嵌め込まれている。
【００１１】
上層座板Ａ１２４には、その上下両面側を連通する連結管Ａ１２５及び空気管Ａ１２９を、周方向に並べて設ける。空気管Ａ１２９の下端は、下層座板Ａ１２１と上層座板Ａ１２４との間の空間に開口している。
連結管Ａ１２５の下端部は、下層座板Ａ１２１の貫通孔Ａ１２６を通して、内部ストローＡ１３の上端部と係合されている。
また、上層座板Ａ１２４の上方はカバー片Ａ１２７で被覆され、カバー片Ａ１２７と上層座板Ａ１２４との間には、伝動機構を構成する複数の歯車類Ａ１２８が設置されている。歯車類Ａ１２８とは、軽量な歯車或いは伝動ホイールであり、その軸芯Ａ１２８１がカバー片Ａ１２７から上方へ突出している。
【００１２】
カバー片Ａ１２７の上方において、出力側の歯車類Ａ１２８の軸芯Ａ１２８１には装飾体Ｅが取り付けられ、入力側の歯車類Ａ１２８の軸芯Ａ１２８１には、インペラＡ１２２が連動して回転するよう連結され、伝動機構を介してインペラＡ１２２の回転力を装飾体Ｅに伝達するようになっている。
図３に示すように、上層座板Ａ１２４の上面には、連結管Ａ１２５及び空気管Ａ１２９を覆うように回動片Ａ１３０を、周方向へ回動可能に設ける。回動片Ａ１３０には、その上下両面側に連通する突出管Ａ１３１を上方へ突出するよう設ける。突出管Ａ１３１は、カバー片Ａ１２７を貫通し、その上端部に外部ストローＡ１１が接続されている。
【００１３】
回動片Ａ１３０を回動させると、突出管Ａ１３１に接続された外部ストローＡ１１が、連結管Ａ１２５又は空気管Ａ１２９と一致して位置決めされる。
外部ストローＡ１１が連結管Ａ１２５と一致すると、内部ストローＡ１３及び外部ストローＡ１１を通して、カップ本体Ａ１４内部の飲料を吸引することができる。
外部ストローＡ１１が空気管Ａ１２９と一致すると、下層座板Ａ１２１と上層座板Ａ１２４との間の空間に空気を吹き込んだり、この空間から空気を吸引することができる。この結果、下層座板Ａ１２１の排気孔Ａ１２３を通して空間に空気が出入りし、この気流によってインペラＡ１２２が回転する。インペラＡ１２２が回転すると、その回転力が伝動機構を介して装飾体Ｅに伝達され、カップ蓋Ａ１２の外方に露出した装飾体Ｅが回転する。
【００１４】
装飾体Ｅとしては、種々考えられるが、図４に示すものは、インペラＡ１２２の回転力によって回転する回転盤Ｅ２に対して、装飾体Ｅを磁力で吸着させ、さらにその外方を開閉可能な透明カバーＥ１で覆ってある。このようにすると、装飾体Ｅを交換することができる。
また、図５に示すものは、装飾体Ｅの外方を密封性のある透明カバーＥ１で被覆し、透明カバーＥ１の内部に液体Ｅ３を充填してある。
【実施例２】
【００１５】
図６及び図７は、実施例２を示す飲料用カップの側面図である。
出力側の歯車類Ａ１２８の軸芯、又は、インペラＡ１２２の軸芯が、透明なカップ本体Ａ１４の内部に延びており、これに図６に示すような攪拌機能を備えた装飾体Ｅ、或いは、図７に示すようなボール状の装飾体Ｅが接続されている。
その他の構成及び使用方法は実施例１とほぼ同様である。
【実施例３】
【００１６】
図８は実施例３を示す。
カップ本体Ａ１４の底面からやや上方に隔離板Ａ１３２を設け、隔離板Ａ１３２の下方に、インペラＡ１２２を設置するための空間を形成してある。また、この空間に開口する連通管Ａ１３３がカップ本体Ａ１４の上端寄りまで延びている。
連通管Ａ１３３は透明素材より成り、その一部には大径の拡張部Ａ１３４が形成されると共に、拡張部Ａ１３４の内部に装飾体Ｅが収納される。
そして、隔離板Ａ１３２の下方に設置されたインペラＡ１２２の軸芯が、拡張部Ａ１３４へ延びており、この軸芯に装飾体Ｅが固定されている。
【００１７】
カップ蓋Ａ１２は２層になっていて、その内部に非常に薄い隙間が形成され、この隙間に回動片Ａ１３０を周方向に回動可能に設置する。回動片Ａ１３０には突出管Ａ１３１が上方に向けて突設され、突出管Ａ１３１に外部ストローＡ１１が接続されている。
また、カップ蓋Ａ１２から下方に向けて連結管Ａ１２５が設けられ、連結管Ａ１２５が内部ストローＡ１３の上端に接続されている。
さらに、連結管Ａ１２５に隣接して、連通管Ａ１３３と一致する位置に透孔が形成されている。
【００１８】
そして、回動片Ａ１３０を回動させると、外部ストローＡ１１と接続された突出管Ａ１３１が、連結管Ａ１２５を介して内部ストローＡ１３と連絡されて位置決めされるか、透孔を介して連通管Ａ１３３と連絡される。
突出管Ａ１３１が内部ストローＡ１３と連絡されると、カップ本体Ａ１４の内部に収納された飲料を、外部ストローＡ１１を通して吸引することができる。
一方、突出管Ａ１３１が連通管Ａ１３３と連絡されると、外部ストローＡ１１からカップ本体Ａ１４の底部に形成された空間へ空気を吹き込んだり、空気を吸引することにより、インペラＡ１２２を回動させることができる。この結果、装飾体Ｅが回転する。
【実施例４】
【００１９】
図９は実施例４を示す。
カップ本体Ａ１４の底部から間隔を置けて上方に隔離板Ａ１３２を設け、隔離板Ａ１３２の下方に高さの高い空間を形成する。空間の外周面は透明素材で形成されている。
この空間には、インペラＡ１２２及び装飾体Ｅを上下に重ねて収納し、インペラＡ１２２の軸芯に装飾体Ｅを固定してある。
その他の構成は、実施例３とほぼ同様である。
従って、突出管Ａ１３１を連通管Ａ１３３に一致させると、空間内のインペラＡ１２２及び装飾体Ｅを回転させることができる。
なお、装飾体Ｅの外面に商品名、商標、広告用の図案等を表示すれば、高い公告効果が得られる。
【実施例５】
【００２０】
図１０は実施例５を示す。
カップ本体Ａ１４の底部において、隔離板Ａ１３２の下方に形成された空間にインペラＡ１２２を設置し、インペラＡ１２２の軸芯に複数の歯車類Ａ１２８より成る伝動機構を接続する。
伝動機構の出力側には、上面に凹凸が形成された突起盤Ａ１３５が接続され、インペラＡ１２２が回転すると突起盤Ａ１３５が回転するようになっている。
カップ本体Ａ１４の側面部には隔離壁Ａ１３６が外側壁からやや間隔をあけて設けられ、外側壁と隔離壁Ａ１３６との間に、上下方向に延びる接続棒Ａ１３７が摺動可能に設置されている。
【００２１】
接続棒Ａ１３７には装飾体Ｅがカップ本体Ａ１４の側方に突出するよう取り付けられ、接続棒Ａ１３７の下端は突起盤Ａ１３５の上面に係合している。
従って、インペラＡ１２２が回転した結果、突起盤Ａ１３５が回転すると、接続棒Ａ１３７が突起盤Ａ１３５の上面の凹凸によって上下に往復動し、これにより、接続棒Ａ１３５に取り付けられた装飾体Ｅが、カップ本体Ａ１４の外方で上下に往復動する。
その他の構成は実施例３及び４とほぼ同様なので、詳細な説明は省略する。
【図面の簡単な説明】
【００２２】
【図１】実施例１を示す飲料用カップの斜視図。
【図２】実施例１を示す飲料用カップの要部分解斜視図。
【図３】実施例１を示す飲料用カップの要部断面図。
【図４】実施例１に係る装飾体の断面図。
【図５】実施例１に係る装飾体の他の態様を示す断面図。
【図６】実施例２を示す飲料用カップの側面図。
【図７】実施例２の他の態様を示す飲料用カップの側面図。
【図８】実施例３を示す飲料用カップの断面図。
【図９】実施例４を示す飲料用カップの断面図。
【図１０】実施例５を示す飲料用カップの断面図。
【符号の説明】
【００２３】
Ａ１１  外部ストロー
Ａ１２  カップ蓋
Ａ１２１  下層座板
Ａ１２２  インペラ
Ａ１２３  排気孔
Ａ１２４  上層座板
Ａ１２５  連結管
Ａ１２６  貫通孔
Ａ１２７  カバー片
Ａ１２８  歯車類
Ａ１２８１  軸芯
Ａ１２９  空気管
Ａ１３０  回動片
Ａ１３１  突出管
Ａ１３２  隔離板
Ａ１３３  連通管
Ａ１３４  拡張部
Ａ１３５  突起盤
Ａ１３６  隔離壁
Ａ１３７  接続棒
Ａ１３  内部ストロー
Ａ１４  カップ本体
Ｅ  装飾体
Ｅ１  透明カバー
Ｅ２  回転盤
Ｅ３  液体
【図１】
0003112997.tif 000003
【図２】
0003112997.tif 000004
【図３】
0003112997.tif 000005
【図４】
0003112997.tif 000006
【図５】
0003112997.tif 000007
【図６】
0003112997.tif 000008
【図７】
0003112997.tif 000009
【図８】
0003112997.tif 000010
【図９】
0003112997.tif 000011
【図１０】
0003112997.tif 000012